(57)【特許請求の範囲】
【請求項１】
吸込口（１９）が形成されているケーシング（１１）と、
前記吸込口を介して前記ケーシング内に室内空気を吸い込むためのファン（１４）と、
前記ファンによって前記ケーシング内に吸い込まれた前記室内空気中の塵埃を捕集するためのフィルタ（８１）と、
前記フィルタよりも空気流れ下流側に配置されており、前記室内空気と熱交換を行う熱交換器（１３）と、
前記フィルタの下端部に配置されるブラシ（７２）を有し、前記フィルタに前記ブラシを接触させた状態で前記フィルタを移動させることで前記フィルタに付着した塵埃を除去するフィルタ清掃運転を行うためのフィルタ清掃機構（８０）と、
前記フィルタと前記ブラシとの接触部のうち前記熱交換器側の近傍から前記フィルタの移動経路に概ね沿って延びかつ前記フィルタよりも空気流れ上流側には延びない面（３７ａ）を有する抵抗部材（３５）と、
を備え、
前記フィルタ清掃機構は、前記ケーシングに配置され、前記フィルタを所定の環形状に形成するように支持する支持枠（４１）と、前記フィルタの折返し部に配置されているローラ（４２）とを持ち、前記フィルタを前記フィルタの移動経路に沿って周回させるフィルタ移動機構（４０）をさらに有し、
前記フィルタは、前記支持枠及び前記ローラと共に、前記抵抗部材と分離して前記フィルタの空気流れ上流側に前記ケーシングから引き出すことができるように構成されている、空調室内機（１０）。
【請求項２】
前記ローラは、前記ブラシの上方に前記フィルタを挟んで配置されており、回転することで前記フィルタを移動させ、
前記面は、前記ローラの回転中心よりも高い位置まで延びている、
請求項１に記載の空調室内機。
【請求項３】
前記抵抗部材は、前記フィルタを前記支持枠側に向かって付勢するアシストローラ（３８）をさらに有し、
前記フィルタにおいて前記面と対向するように位置するフィルタ面と、前記面との間の寸法は、２ｍｍ以下である、
請求項１又は２に記載の空調室内機。
【請求項４】
前記フィルタ清掃運転以外の運転時には、前記面は、前記フィルタにおいて前記フィルタの折返し部を挟んで空気流れ下流側に位置する背面側フィルタ部のフィルタ面と重なるように配置されている、
請求項１から３のいずれか１項に記載の空調室内機。
【請求項５】
前記ブラシの植毛密度は、８０％以下である、
請求項１から４のいずれか１項に記載の空調室内機。
【請求項６】
前記面は、前記フィルタの幅方向に沿って配置されている、
請求項１から５のいずれか１項に記載の空調室内機。
【発明の詳細な説明】
【技術分野】
【０００１】
本発明は、フィルタ清掃機構を備える空調室内機に関する。
【背景技術】
【０００２】
従来より、吸い込んだ室内空気中の塵埃が熱交換器へと流れないように、熱交換器よりも空気流れ上流側に塵埃を捕集するためのフィルタが配置された空調室内機がある。また、近年の空調室内機には、フィルタに付着した塵埃をフィルタから除去するためのフィルタ清掃機構を備えるものがある。例えば、特許文献１（特開平６−１１４２２４号公報）に開示されている空気調和機の室内ユニットでは、フィルタに接触するようにブラシが配置されており、フィルタがブラシに接触した状態でフィルタが移動されることで、フィルタから塵埃が除去されている。
【発明の概要】
【発明が解決しようとする課題】
【０００３】
ところで、特許文献１に開示されている空気調和機の室内ユニットのように、ブラシがフィルタに接触した状態でフィルタが移動されることでフィルタから塵埃が除去されるフィルタ清掃機構では、フィルタから除去された塵埃は、ブラシに付着することになる。ここで、フィルタとブラシとの接触部に隙間がある場合には、この隙間が、ブラシに付着している塵埃を、フィルタよりも空気流れ下流側に位置する熱交換器に向かって流すバイパス経路となってしまうおそれがある。そして、ブラシに付着している塵埃が熱交換器に向かって流れてしまうと、塵埃が熱交換器に付着して、熱交換器が汚れてしまうという問題が生じる。
【０００４】
そこで、本発明の課題は、熱交換器に塵埃が付着するおそれを低減することで、熱交換器が汚れるおそれを防止することができる空調室内機を提供することにある。
【課題を解決するための手段】
【０００５】
本発明の第１観点に係る空調室内機は、ケーシングと、ファンと、フィルタと、熱交換器と、フィルタ清掃機構と、抵抗部材と、を備える。ケーシングには、吸込口が形成されている。ファンは、吸込口を介してケーシング内に室内空気を吸い込むためのものである。フィルタは、ファンによってケーシング内に吸い込まれた室内空気中の塵埃を捕集するためのものである。熱交換器は、フィルタよりも空気流れ下流側に配置されている。また、熱交換器は、室内空気と熱交換を行う。フィルタ清掃機構は、ブラシを有する。ブラシは、フィルタの下端部に配置されている。また、フィルタ清掃機構は、フィルタにブラシを接触させた状態でフィルタを移動させることで、フィルタに付着した塵埃を除去するフィルタ清掃運転を行うための機構である。抵抗部材は、フィルタとブラシとの接触部のうち熱交換器側の近傍からフィルタの移動経路に概ね沿って延びかつフィルタよりも空気流れ上流側には延びない面を有する。フィルタ清掃機構は、ケーシングに配置され、フィルタを所定の環形状に形成するように支持する支持枠と、フィルタの折返し部に配置されているローラとを持ち、フィルタをフィルタの移動経路に沿って周回させるフィルタ移動機構をさらに有する。フィルタは、支持枠及びローラと共に、抵抗部材と分離してフィルタの空気流れ上流側に前記ケーシングから引き出すことができるように構成されている。
【０００６】
本発明の第１観点に係る空調室内機では、フィルタとブラシとの接触部のうち熱交換器側の近傍からフィルタの移動経路に概ね沿って延びる面があることで、フィルタとブラシとの接触部に形成される隙間を空気が流れる際に抵抗が生じ、この隙間を空気が流れ難くなる。このため、ファンによって室内空気を熱交換器に向かわせる空気流れが形成されたときに、ブラシに塵埃が付着していても、フィルタとブラシとの接触部に形成される隙間が、ブラシに付着した塵埃を熱交換器に向かって流す塵埃のバイパス経路となるおそれを低減することができる。この結果、熱交換器に塵埃が付着するおそれを低減することができる。
【０００７】
これによって、熱交換器が汚れるおそれを防止することができる。
【０００８】
本発明の第２観点に係る空調室内機は、第１観点の空調室内機において、ローラは、ブラシの上方にフィルタを挟んで配置されている。また、ローラは、回転することで、フィルタを移動させる。さらに、前記面は、ローラの回転中心よりも高い位置まで延びている。この空調室内機では、抵抗部材の面がローラの回転中心よりも高い位置まで延びているため、ファンによって室内空気を熱交換器に向かわせる空気流れが形成されたときに、ブラシとフィルタとの間の隙間を流れる空気の抵抗が生じやすくなる。このため、フィルタとブラシとの接触部に形成される隙間が、ブラシに付着した塵埃を熱交換器に向かって流す塵埃のバイパス経路となるおそれを低減することができる。
【０００９】
本発明の第３観点に係る空調室内機は、第１観点又は第２観点の空調室内機において、抵抗部材は、フィルタを支持枠側に向かって付勢するアシストローラをさらに有している。フィルタにおいて前記面と対向するように位置するフィルタ面と、前記面との間の寸法は、２ｍｍ以下である。この空調室内機では、フィルタ面と、前記面との隙間が２ｍｍ以下と小さいため、ブラシとフィルタとの接触部に形成される隙間を空気が流れる際の抵抗が生じやすい構成となっている。
【００１０】
本発明の第４観点に係る空調室内機は、第３観点の空調室内機において、フィルタ清掃運転以外の運転時には、前記面は、背面側フィルタ部のフィルタ面と重なるように配置されている。背面側フィルタ部は、フィルタにおいてフィルタの折返し部を挟んで空気流れ下流側に位置する部分である。この空調室内機では、背面側フィルタ部のフィルタ面と前記面とが重なるように配置されるため、ブラシとフィルタとの接触部に形成される隙間から熱交換器側に向かって空気が流れ難い構成になっている。このため、フィルタ清掃運転以外の運転時に、ファンによって室内空気を熱交換器に向かわせる空気流れが形成されても、ブラシに付着した塵埃が熱交換器に向かって流れるおそれを低減することができる。
【００１１】
本発明の第５観点に係る空調室内機は、第１観点から第４観点のいずれかの空調室内機において、ブラシの植毛密度は、８０％以下である。この空調室内機ではブラシの植毛密度が８０％以下と低いため、ブラシとフィルタとの接触部に隙間が形成されやすい構成となっている。しかしながら、この空調室内機は抵抗部材を備えているため、接触部に隙間が形成されるような構成であっても、ブラシに付着した塵埃が熱交換器に向かって流れるおそれを低減することができる。
【００１２】
本発明の第６観点に係る空調室内機は、第１観点から第５観点の空調室内機において、前記面は、フィルタの幅方向に沿って配置されている。このため、この空調室内機では、フィルタの幅方向の全域に渡って通風抵抗を生じさせることができる。これにより、ブラシに付着した塵埃が熱交換器に向かって流れるおそれを低減することができる。
【発明の効果】
【００１３】
本発明の第１観点に係る空調室内機では、熱交換器が汚れるおそれを防止することができる。
【００１４】
本発明の第２観点に係る空調室内機では、フィルタとブラシとの接触部に形成される隙間が、ブラシに付着した塵埃を熱交換器に向かって流す塵埃のバイパス経路となるおそれを低減することができる。
【００１５】
本発明の第３観点に係る空調室内機では、ブラシとフィルタとの接触部に形成される隙間を空気が流れる際の抵抗が生じやすい構成となっている。
【００１６】
本発明の第４観点に係る空調室内機では、フィルタ清掃運転以外の運転時にファンによって室内空気を熱交換器に向かわせる空気流れが形成されても、ブラシに付着した塵埃が熱交換器に向かって流れるおそれを低減することができる。
【００１７】
本発明の第５観点に係る空調室内機では、ブラシとフィルタとの接触部に隙間が形成されていても、ブラシに付着した塵埃が熱交換器に向かって流れるおそれを低減することができる。
【００１８】
本発明の第６観点に係る空調室内機では、ブラシに付着した塵埃が熱交換器に向かって流れるおそれを低減することができる。
【図面の簡単な説明】
【００１９】
【図１】空調室内機を備える空気調和機の正面図。
【図２】空調室内機の断面図。
【図３】空調室内機の断面図であって、ブラシとフィルタとの接触部付近の部分拡大図。
【図４】メインフレームの正面図。
【図５】メインフレームの断面図。
【図６】フィルタが支持された状態のフィルタ移動機構の正面図。
【図７】ブラシとフィルタとが接触している状態を空調室内機の側面側から視た概念図。
【図８】ブラシとフィルタとが接触している状態を空調室内機の正面側から視た概念図。
【図９】ダストボックスの分解図。
【図１０】従来の空調室内機における吸込空気の流れを説明するための図。
【図１１】変形例Ａに係る空調室内機の断面図。
【図１２】変形例Ａに係る空調室内機の断面図。
【図１３】変形例Ａに係る空調室内機の断面図であって、ブラシとフィルタとの接触部付近の部分拡大図。
【図１４】メインフレームの正面図。
【発明を実施するための形態】
【００２０】
以下、図面を参照しながら、本発明の一実施形態に係る空調室内機１０について説明する。なお、以下の実施形態は、本発明の具体例であって、本発明の技術的範囲を限定するものではない。
【００２１】
（１）空調室内機の構成
図１は、本発明の一実施形態に係る空調室内機１０を備える空気調和機９０の正面図である。この空調室内機１０は、室内の壁面に取り付けられる壁掛け型の室内機である。また、空調室内機１０は、室外に配置される室外機９１と冷媒配管９２を介して接続されて空気調和機９０を構成しており、室内の冷房運転及び暖房運転を含む通常運転に加えて、フィルタ８１を自動で清掃するフィルタ清掃運転を行うことができる。
【００２２】
空調室内機１０は、図２に示すように、主として、本体ケーシング１１、フィルタ８１、フィルタ清掃機構８０、室内熱交換器１３、室内ファン１４、底フレーム１６、抵抗部材３５、及び、制御部６０を備えている。
【００２３】
本体ケーシング１１は、空調室内機１０の外郭を構成する部材であって、内部にフィルタ８１、フィルタ清掃機構８０、室内熱交換器１３、室内ファン１４、底フレーム１６、抵抗部材３５、及び、制御部６０を収納している。
【００２４】
また、本体ケーシング１１の上部には、本体ケーシング１１内に室内の空気を吸い込むための吸込口１９が設けられている。
【００２５】
室内熱交換器１３及び室内ファン１４は、底フレーム１６に取り付けられている。室内熱交換器１３は、通過する空気との間で熱交換を行う。また、室内熱交換器１３は、側面視において両端が下方に向いて屈曲する逆Ｖ字状の形状を成し、その下方に室内ファン１４が位置する。室内ファン１４は、クロスフローファンであり、室内から吸込口１９を介して本体ケーシング１１内に取り込んだ空気を、室内熱交換器１３に当てて通過させた後、本体ケーシング１１内から室内に吹き出す空気流れを形成する。
【００２６】
フィルタ８１は、室内熱交換器１３を覆うように配置されており、吸込口１９を介して室内熱交換器１３に向かって流入してくる吸込空気に含まれる塵埃を捕集する。
【００２７】
フィルタ清掃機構８０は、フィルタ８１を自動的に清掃するフィルタ清掃運転を実行するための機構である。また、フィルタ清掃機構８０は、フィルタ８１から塵埃を除去するブラシ７２を有しており、フィルタ８１とブラシ７２とが接触した状態でフィルタ８１を移動させることで、フィルタ８１が捕集した塵埃をフィルタ８１から除去する。
【００２８】
抵抗部材３５は、吸込口１９から吸い込まれた室内空気が、ブラシ７２とフィルタ８１との接触部８９に生じる隙間を介して室内熱交換器１３へと流れにくくなるように、通風抵抗を生じさせるためのものである。また、抵抗部材３５は、ブラシ７２とフィルタ８１との接触部８９のうち室内熱交換器１３側の近傍からフィルタ８１の移動経路に概ね沿って延びる面を有する。
【００２９】
制御部６０は、室内熱交換器１３及び室内ファン１４の右側方に配置されており、ユーザからの指示に基づいて、空調室内機１０に、冷房運転及び暖房運転を含む各種運転を実行させたり、フィルタ清掃運転を実行させたりする。
【００３０】
なお、空調室内機１０の具体的な構成は、上記のものに限定されるものではなく、フィルタ８１にブラシ７２が接触した状態でフィルタ８１を移動させることでフィルタ８１に付着した塵埃を除去するフィルタ清掃機構８０と、ブラシ７２とフィルタ８１との接触部８９のうち室内熱交換器１３側の近傍からフィルタ８１の移動経路に概ね沿って延びる面を有する抵抗部材３５と、を備えていれば、他の機器構成であってもよい。
【００３１】
（２）詳細構成
（２−１）本体ケーシング
本体ケーシング１１は、天面部１１ａ、前面パネル１１ｂ、背面板１１ｃ及び下部水平板１１ｄを有している。
【００３２】
天面部１１ａは、本体ケーシング１１の上部を構成している。また、吸込口１９は、天面部１１ａの前部に設けられている。さらに、吸込口１９は、吸込流路２０によって本体ケーシング１１の内部と繋がっている。
【００３３】
前面パネル１１ｂは空調室内機１０の前面部を構成しており、吸込口がないフラットな形状を成している。
【００３４】
背面板１１ｃは、本体ケーシング１１の背面を構成しており、室内の壁面に設置された取付板（図示せず）にビス止め等によって取り付けられることで、空調室内機１０が室内の壁面に設置されることになる。
【００３５】
下部水平板１１ｄは、本体ケーシング１１の下面（底面）を構成しており、図２に示すように、背面板１１ｃの下端から底フレーム１６の下端部近傍まで延びている。
【００３６】
また、本体ケーシング１１の下部には、本体ケーシング１１の長手方向に長い吹出口１５が設けられている。吹出口１５は、吹出流路２１によって本体ケーシング１１の内部と繋がっている。吹出流路２１は、吹出口１５から底フレーム１６のスクロール部に沿って形成されている。室内の空気は、室内ファン１４の稼働によって、吸込空気として、吸込口１９を介して吸込流路２０を経て室内ファン１４に吸い込まれ、吹出空気として、吹出流路２１を経て吹出口１５を介して吹き出される。なお、吸込口１９から吸い込まれた吸込空気は、吸込流路２０を流れる間に、吸込流路２０内に配置されているフィルタ８１及び室内熱交換器１３を通過することになる。
【００３７】
さらに、吹出口１５近傍には、吹出口１５を開閉するための水平羽根２３が設けられている。水平羽根２３は、モータ（図示せず）によって回動されることで、傾斜角度の異なる複数の姿勢を採ることができる。これにより、水平羽根２３は、吹出口１５を閉じるだけでなく、吹出空気の上下方向の流れを変更することができる。
【００３８】
（２−２）室内熱交換器
室内熱交換器１３は、複数のフィン１３ａと、複数の伝熱管１３ｂとで構成されている。室内熱交換器１３は、冷房運転時には蒸発器として機能し、暖房運転時には凝縮器として機能する。
【００３９】
なお、本実施形態の室内熱交換器１３は、図２及び図３に示すように、側面視において、室内ファン１４の前方を覆う前側熱交換部１３ｃの下端部１３ｄが、後述するフィルタ８１の折返し部８１ａよりも下方まで延びている。
【００４０】
（２−３）フィルタ
フィルタ８１は、樹脂製の糸で平織り又は綾織りされた網であって、環形状に成形されている。なお、フィルタ８１には、一般のフィルタにみられるような補強用の縁やリブが設けられていないため、フィルタ８１は、自身で安定した形状を維持することができない。このため、フィルタ８１は、後述する支持枠４１に掛け渡されることで、環形状の形状を保っている。
【００４１】
また、フィルタ８１は、環形状を維持した状態で、吸込流路２０内に配置されており、天面部１１ａと室内熱交換器１３との間に着脱自在に装着されている。このため、フィルタ８１は、室内熱交換器１３よりも空気流れ上流側に配置されているといえる。さらに、フィルタ８１は、吸込流路２０の所定断面の略全面に渡って配置されている。これにより、吸込流路２０を流れる吸込空気中の塵埃の多くをフィルタ８１で捕集することができる。
【００４２】
（２−４）フィルタ清掃機構
フィルタ清掃機構８０は、メインフレーム３０と、ブラシカバー５０と、フィルタ移動機構４０と、ブラシ７２と、圧縮ローラ７３と、ダストボックス７０と、を備えている。
【００４３】
（２−４−１）メインフレーム
メインフレーム３０は、空調室内機１０の長手方向に長い部材であって、本体ケーシング１１に固定されている（図４参照）。また、メインフレーム３０は、左保持部３１、中央保持部３３、右保持部３２、補強枠３４、及び、抵抗部材３５を有している。
【００４４】
左保持部３１、中央保持部３３及び右保持部３２は、それぞれ、平行に等間隔に並んでいる。また、左保持部３１の中央保持部３３と対向する側の面には、後述する支持枠４１を保持する左案内溝３１ａが設けられている。また、右保持部３２の中央保持部３３と対向する側の面には、支持枠４１を保持する右案内溝３２ａが設けられている。さらに、中央保持部３３には、左保持部３１に設けられた左案内溝３１ａ、及び、右保持部３２に設けられた右案内溝３２ａと対峙する位置に、支持枠４１を保持する中央案内溝３３ａ，３３ｂが設けられている。
【００４５】
補強枠３４は、左保持部３１、中央保持部３３及び右保持部３２の延びる方向に沿って延びる複数の補強棒３４ａと、補強棒３４ａに直交する方向に延びる複数の補強棒３４ｂとによって格子状に形成されており、一定の強度が確保されている。補強枠３４は、環形状のフィルタ８１が移動方向（進行方向）を反転させる部分であるフィルタ８１の折返し部８１ａを挟んでフィルタ８１の空気流れ下流側に位置する背面側フィルタ部８２が、室内熱交換器１３に向かって垂れ下がらないように、室内熱交換器１３側からフィルタ８１を支えている。
【００４６】
抵抗部材３５は、フィルタ８１と同様に空調室内機１０の長手方向に長い部材であって、メインフレーム３０の下端部の一部を構成している（図４参照）。さらに、抵抗部材３５は、図２及び図３に示すように、フィルタ８１とブラシ７２との接触部８９のうち室内熱交換器１３側の近傍から上方に延びている。
【００４７】
また、抵抗部材３５は、メインフレーム３０の断面図である図５に示すように、断面略Ｊ字状を呈している。より詳しくは、抵抗部材３５は、基部３６と、基部３６からフィルタ８１の移動経路に概ね沿って延びる抵抗部３７と、を有する。なお、ここでは、基部３６とは、抵抗部材３５の下端から、フィルタ８１の折返し部８１ａの頂部を水平方向に延ばした仮想延長面Ｘまでの部分とする（図３参照）。そして、本実施形態では、抵抗部３７が、フィルタ８１を挟んで、後述するローラ４２を、後側（背面側）から覆うように配置されている。よって、抵抗部３７は、背面側フィルタ部８２の空気流れ下流側の面８２ａと対向するように配置される面３７ａを有しているといえる。なお、本実施形態では、フィルタ８１が環形状に成形されているため、抵抗部３７の面３７ａは、常に、背面側フィルタ部８２の面８２ａと重なるように配置されており、面３７ａと面８２ａとの間の寸法は、２ｍｍ以下になるように設計されている。また、抵抗部材３５は、空調室内機１０の長手方向、すなわち、フィルタ８１の幅方向に長い部材であるため、面３７ａは、フィルタ８１の幅方向に沿って配置されているといえる。
【００４８】
さらに、抵抗部３７は、図３に示すように、ローラ４２の上端よりも高い位置まで延びている。したがって、面３７ａは、ローラ４２の回転中心よりも高い位置まで延びているといえる。ここで、抵抗部３７はフィルタ８１と室内熱交換器１３との間に配置されているため、抵抗部３７の高さ寸法が大きすぎると、フィルタ８１を介して室内熱交換器１３へと向かう空気の流れを阻害して、前側熱交換部１３ｃの下部の熱交換効率を著しく低下させてしまう。そこで、抵抗部３７の高さ寸法は、少なくともローラ４２の回転中心よりも高い位置であって、前側熱交換部１３ｃの下部の熱交換効率に影響を及ぼさない高さの範囲内で設定されている。
【００４９】
なお、本実施形態では、抵抗部材３５は、メインフレーム３０の一部を構成する部材であるが、ブラシ７２とフィルタ８１との接触部８９のうち室内熱交換器１３側の近傍からフィルタ８１の移動経路に概ね沿って延びる面３７ａを有しており、室内ファン１４によって空気流れが形成された際にブラシ７２とフィルタ８１との接触部８９に生じる隙間を空気が流れにくくなるように通風抵抗を生じさせることができれば、単体であってもよく、メインフレーム３０以外の部材（例えば、ダストボックス７０等）と一体に設けられていてもよい。
【００５０】
また、抵抗部材３５には、フィルタ８１の弛みを解消するために、４つのアシストローラ３８が取り付けられている。アシストローラ３８は、室内熱交換器１３側からフィルタ８１と接触するように配置されており、フィルタ８１を支持枠４１側に向かって付勢する。これにより、フィルタ８１は、支持枠４１に周回可能に支持された状態となる。
【００５１】
（２−４−２）フィルタ移動機構
フィルタ移動機構４０は、フィルタ８１をフィルタ８１の移動経路に沿って周回させる機構であって、支持枠４１と、ローラ４２と、ローラ４２を回転させるためのローラ駆動モータ（図示せず）と、回転棒４９と、を有している。
【００５２】
支持枠４１は、フィルタ８１が所定の環形状を形成するように、フィルタ８１を支持する部材である。支持枠４１は、右側板４４と、右側板４４と対向するように配置される左側板４３と、複数の補強棒（図示せず）と、を有している。左側板４３及び右側板４４のそれぞれの一端には、ローラ４２の回転軸を支持する軸受部４３ａ，４４ａが設けられており、左側板４３及び右側板４４のそれぞれの他端には、回転棒４９を支持する軸受部（図示せず）が設けられている。補強棒は、右側板４４及び左側板４３の延びる方向に沿って延びる補強棒と、右側板４４及び左側板４３に対して直交する方向に延びる補強棒とを含み、格子状に形成されている。さらに、左側板４３及び右側板４４には、図６に示すように、板幅の略中央に、左側板４３及び右側板４４の長手方向に沿って並ぶ複数の突起４３ｂ、４４ｂが設けられている。なお、この突起４３ｂ、４４ｂは、環状のフィルタ８１が支持枠４１に掛け渡されたときに、フィルタ８１の両端面と対峙する位置に設けられている。これにより、フィルタ８１がフィルタ８１の移動経路に沿って移動する際に、フィルタ８１の両端が複数の突起４３ｂ、４４ｂによって案内されるため、フィルタ８１の蛇行が防止される。なお、フィルタ８１を環形状に支持した状態の支持枠４１がメインフレーム３０に装着される際には、右側板４４が、右案内溝３２ａ或いは中央案内溝３３ａに挿入され、左側板４３が、左案内溝３１ａ或いは中央案内溝３３ｂに挿入される。
【００５３】
ローラ４２は、支持枠４１の端部に回転可能に支持されており、フィルタ８１の折返し部８１ａに配置されている。また、ローラ４２の周面には、パイル織りされた織物基布が貼り付けられている。そして、ローラ４２の周面に貼り付けられた織物基布がフィルタ８１の編み目に入り込むことで、ローラ４２とフィルタ８１との間に滑りが生じにくくなっている。
【００５４】
ローラ駆動モータは、ステッピングモータであって、左保持部３１に固定されている。回転棒４９は、支持枠４１の端部に回転可能に支持されており、環形状のフィルタ８１が移動方向（進行方向）を反転させる部分に配置されている。また、回転棒４９は、フィルタ８１が細長い環になるように、ローラ４２と共に環形状のフィルタ８１を内側から支持している。
【００５５】
このような構成によって、このフィルタ移動機構４０では、ローラ駆動モータによってローラ４２が回転されることで、フィルタ８１が、支持枠４１に沿って周回する。より詳しくは、ローラ４２が回転することで、フィルタ８１は、図２に示す支持枠４１の前側（空気流れ上流側）の位置Ｐ１から、ローラ４２近傍の位置Ｐ２へと移動し、その後、支持枠４１の後側（空気流れ下流側）の位置Ｐ３、回転棒４９近傍の位置Ｐ４を経て、支持枠４１の前側の位置Ｐ１に戻る。
【００５６】
なお、本実施形態では、ユーザは、支持枠４１、ローラ４２及び回転棒４９を、フィルタ８１と共に、本体ケーシング１１から引き出すことができる。
【００５７】
（２−４−３）ブラシカバー
ブラシカバー５０は、図３に示すように、フィルタ８１の前側端部の折返し部８１ａ近傍に配置されている。また、ブラシカバー５０は、第１カバー部５１と、第２カバー部５２とを有する。第１カバー部５１は、フィルタ８１の折返し部８１ａと対向するように配置されている部分である。また、第１カバー部５１は、正面視において、左右方向に延びており、側面視において、前後方向に延びている。さらに、第１カバー部５１には、フィルタ８１の折返し部８１ａと、ブラシ７２とを接触させるための左右方向（長手方向）に長い開口５１ａが形成されている。第２カバー部５２は、図３に示すように、第１カバー部５１の開口５１ａの周縁部のうち後側の縁部から下方に延びている。また、第２カバー部５２の上部は、ブラシ７２の周面に沿って湾曲した形状を呈しており、ブラシ７２の後側（背面側）を覆うように配置されている。
【００５８】
（２−４−４）ブラシ
ブラシ７２は、メインフレーム３０やフィルタ移動機構４０と同様に、空調室内機１０の長手方向に沿って細長い形状を有しており、図２及び図３に示すように、長手方向に直交する断面が略円形の形状を呈している。
【００５９】
また、ブラシ７２は、ダストボックス７０の両端部７０ａ，７０ａに回転可能に支持されており、左保持部３１に固定されたブラシ駆動モータによって、フィルタ８１の周回方向とは反対方向に回転される。なお、ダストボックス７０は、本体ケーシング１１から着脱可能であるため、ユーザは、ダストボックス７０とともにブラシ７２を本体ケーシング１１から取り出すことができる。そして、図２に示すように、ブラシ７２は、ダストボックス７０が本体ケーシング１１に装着された状態で、フィルタ８１を挟んでローラ４２と上下に対向して配置されている。さらに、ブラシ７２は、ダストボックス７０が本体ケーシング１１に装着された状態で、フィルタ８１に付着した塵埃を掻き落として除去するために、フィルタ８１に接触するように配置される。より詳しくは、ブラシ７２は、ダストボックス７０が本体ケーシング１１に装着された状態で、ブラシ７２の上部が、第１カバー部５１に形成された開口５１ａからフィルタ８１側に露出するように配置されている。
【００６０】
また、ブラシ７２は、図７に示すように、芯材７２ａと、芯材７２ａの周面に設けられた複数の毛７２ｂとによって構成されている。したがって、フィルタ８１とブラシ７２とが接触するとは、具体的には、フィルタ８１とブラシ７２の毛７２ｂとが接触することになる（図８参照）。なお、本実施形態では、ブラシ７２の毛７２ｂの長さは、ブラシ７２の回転中心となる芯材７２ａからフィルタ８１までの寸法よりも長くなるように設計されている。このため、ブラシ７２の毛７２ｂは、フィルタ８１に接触した状態で、その先端部がフィルタ８１に沿って折れ曲がる。また、ブラシ７２の植毛密度（毛の本数×毛の面積×１００／ｍｍ2）は、８０％以下に設計されており、本実施形態では、約７３％である。このようにブラシ７２の植毛密度が低いため、ブラシ７２の毛７２ｂと毛７２ｂの間の隙間が大きくなり、芯材７２ａとフィルタ８１との間の空間において、特に、ブラシ７２の毛７２ｂとフィルタ８１との接触部８９には、隙間ができるようになっている。
【００６１】
（２−４−５）圧縮ローラ
圧縮ローラ７３は、円柱状の棒状部材であって、ダストボックス７０の両端部７０ａ，７０ａに回転可能に支持されている。また、圧縮ローラ７３の表面には、螺旋状の突起が形成されている。さらに、圧縮ローラ７３の回転軸には、ブラシ７２の回転軸に設けられたギア７２ｃと噛み合う位置にギア７３ａが設けられており、圧縮ローラ７３は、ブラシ７２の回転に連動して回転する。したがって、圧縮ローラ７３は、ブラシ７２の回転方向とは反対方向に回転する。なお、圧縮ローラ７３は、後述する櫛部７４の歯７４ａの下側に配置されている（図３参照）。そして、ブラシ７２及び圧縮ローラ７３が回転することで、櫛部７４の歯７４ａによってブラシ７２から除去された塵埃が圧縮されながら、ダストボックス７０へ内へと搬送される。
【００６２】
（２−４−６）ダストボックス
ダストボックス７０は、ブラシ７２から除去された塵埃を溜めるための部材であって、上部が開口した略直方体形状の箱状の部材である。また、ダストボックス７０は、図９に示すように、前部７５と後部７６とから構成されており、前部７５と後部７６とが組み合わされることで箱状になる。さらに、ダストボックス７０は、図２に示すように、フィルタ８１の前側の折返し部８１ａ近傍に配置されており、上述のように、本体ケーシング１１から着脱可能に構成されている。このため、ユーザは、ダストボックス７０を本体ケーシング１１から取り出して、ダストボックス７０内に溜まった塵埃を容易に処理することができる。
【００６３】
また、ダストボックス７０には、ブラシ７２に付着した塵埃を除去するための櫛部７４が配設されている。櫛部７４は、図９に示すように、ダストボックス７０の長手方向に並んだ複数の歯７４ａを有している。櫛部７４の歯７４ａは、ブラシ７２がダストボックス７０に支持された状態で、ブラシ７２の下から斜め前方に向けて挿入されている（図３参照）。これにより、櫛部７４は、ブラシ７２が回転することで、ブラシ７２の毛７２ｂの間に付着している塵埃を取り除くことができる。
【００６４】
（２−４−７）フィルタ清掃運転時におけるフィルタ清掃機構の動作
フィルタ清掃運転時には、ローラ駆動モータが駆動することで、フィルタ８１がブラシ７２の毛７２ｂに接触した状態でフィルタ８１が移動する。このとき、フィルタ８１に付着している塵埃が、ブラシ７２の毛７２ｂによって掻き取られる。また、ブラシ駆動モータが駆動することでブラシ７２が回転し、櫛部７４の歯７４ａがブラシ７２の毛７２ｂを梳くことで、ブラシ７２の毛７２ｂに付着した塵埃がブラシ７２から取り除かれる。そして、ブラシ７２から取り除かれた塵埃は、圧縮ローラ７３によって圧縮されながら、ダストボックス７０内へと搬送され、ダストボックス７０内に溜められる。このようにして、このフィルタ清掃機構８０は、フィルタ８１に付着した塵埃を、フィルタ８１から除去している。なお、フィルタ清掃運転時には、室内ファン１４の回転は停止されており、吹出口１５は水平羽根２３によって閉じられている。
【００６５】
また、フィルタ清掃運転時には、ローラ駆動モータとブラシ駆動モータとが同時に駆動していてもよく、ローラ駆動モータが駆動している間は、ブラシ駆動モータの駆動が停止され、ローラ駆動モータの駆動が停止している間にブラシ駆動モータが駆動してもよい。ここで、ローラ駆動モータとブラシ駆動モータとが同時に駆動される場合には、フィルタ８１がフィルタ８１の移動経路に沿って移動するとともに、ブラシ７２及び圧縮ローラ７３が回転する。この結果、フィルタ８１に付着した塵埃がブラシ７２の毛７２ｂによって掻き取られると同時に、ブラシ７２の毛７２ｂが櫛部７４の歯７４ａによって梳かれてブラシ７２がフィルタ８１から掻き取った塵埃がブラシ７２から除去されるとともに、圧縮ローラ７３によって塵埃が圧縮されながらダストボックス７０へと溜められる。
【００６６】
一方で、ローラ駆動モータが駆動している間は、ブラシ駆動モータの駆動が停止され、ローラ駆動モータの駆動が停止している間に、ブラシ駆動モータが駆動する場合には、フィルタ８１がフィルタ８１の移動経路に沿って移動している間は、ブラシ７２及び圧縮ローラ７３の回転が停止され、フィルタ８１の移動が停止している間に、ブラシ７２及び圧縮ローラ７３が回転する。この結果、フィルタ８１が移動することで、フィルタ８１に付着した塵埃が、回転の停止しているブラシ７２の毛７２ｂによって掻き取られ、ブラシ７２の毛７２ｂに溜まっていく。そして、ブラシ７２の毛７２ｂに塵埃が溜まった状態で、ブラシ７２及び圧縮ローラ７３の回転が開始することで、ブラシ７２の毛７２ｂが櫛部７４の歯７４ａによって梳かれてブラシ７２から塵埃が除去されるとともに、圧縮ローラ７３によって塵埃が圧縮されながらダストボックス７０へと溜められる。
【００６７】
（３）特徴
（３−１）
図１０は、抵抗部材３５の抵抗部３７が設けられていない以外は本実施形態の空調室内機１０と同様の構成の空調室内機のフィルタ９８１とブラシ９７２との接触部９８９近傍を示す部分断面図である。
【００６８】
フィルタから塵埃を掻き取るためのブラシがフィルタに接触するように配置されているフィルタ清掃機構では、ブラシの植毛密度がある程度高くなければ、少なくともブラシとフィルタとの接触部に隙間が生じる。そして、ブラシ９７２とフィルタ９８１との接触部９８９に隙間がある場合、室内ファンが駆動されると、図１０に示すように、吸込口から吸い込まれた吸込空気が、フィルタ９８１を介さずに、ブラシ９７２とフィルタ９８１との接触部９８９の隙間から室内熱交換器９１３へと流れてしまう。このとき、フィルタ９８１から掻き取った塵埃がブラシ９７２に付着している場合には、ブラシ９７２とフィルタ９８１との接触部９８９に形成される隙間が、ブラシ９７２に付着した塵埃を室内熱交換器９１３へと運ぶバイパス経路になってしまう。そして、ブラシ９７２に付着した塵埃が室内ファンによって形成される空気流れにのって室内熱交換器９１３へと運ばれると、室内熱交換器９１３に塵埃が付着し、室内熱交換器９１３が汚れてしまうという問題が生じる。
【００６９】
そこで、本実施形態では、フィルタ８１とブラシ７２との接触部８９のうち室内熱交換器１３側の近傍からフィルタ８１の移動経路に概ね沿って延びる面３７ａを有する抵抗部３７を設けている。このため、この面３７ａを有する抵抗部３７が設けられていない空調室内機と比較して、フィルタ８１とブラシ７２との接触部８９に形成される隙間を空気が流れる際の抵抗を大きくすることができる。この結果、仮に、ブラシ７２に塵埃が付着した状態で室内ファン１４によって空気流れが形成されたとしても、フィルタ８１とブラシ７２との接触部８９に形成される隙間が、ブラシ７２に付着した塵埃を室内熱交換器１３に向かって流す塵埃のバイパス経路となるおそれを低減することができる。
【００７０】
これによって、室内熱交換器１３に塵埃が付着するおそれを低減することができるため、室内熱交換器１３が汚れるおそれを防止することができている。
【００７１】
（３−２）
本実施形態では、抵抗部３７の面３７ａは、ローラ４２の回転中心よりも高い位置まで延びている。このため、抵抗部の面がローラの回転中心よりも低い位置までしか延びていない場合と比較して、室内ファン１４によって空気流れが形成されたときに、フィルタ８１とブラシ７２との接触部８９に形成される隙間を流れる空気の抵抗が大きくなる。このため、フィルタ８１とブラシ７２との接触部８９に形成される隙間がブラシ７２に付着した塵埃を室内熱交換器１３に向かって流す塵埃のバイパス経路となるおそれを低減することができている。
【００７２】
（３−３）
本実施形態では、抵抗部３７の面３７ａと、背面側フィルタ部８２の面８２ａと、の間の寸法が２ｍｍ以下になるように設計されている。このため、フィルタ８１とブラシ７２との接触部８９に形成される隙間を空気が流れる際の抵抗が生じやすい構成となっている。
【００７３】
（３−４）
本実施形態では、抵抗部３７の面３７ａは、背面側フィルタ部８２の面８２ａと重なるように配置されている。このため、フィルタ８１とブラシ７２との接触部８９に形成される隙間を空気が流れる際の抵抗が生じやすい構成となっている。また、この空調室内機１０では、フィルタ清掃運転時には、室内ファン１４の回転は停止されている。このため、室内ファン１４が回転するフィルタ清掃運転以外の運転時、例えば、通常運転時に、室内ファン１４によって吸込流路２０内を室内熱交換器１３に向かって流れる空気流れが形成されても、抵抗部３７の面３７ａによって通風抵抗が生じるため、ブラシ７２に付着した塵埃が室内熱交換器１３に向かって流れるおそれを低減することができている。
【００７４】
（３−５）
本実施形態では、ブラシ７２の植毛密度は、約７３％であるため、ブラシ７２の毛７２ｂとフィルタ８１との接触部８９には隙間ができるようになっている。したがって、ブラシ７２とフィルタ８１との接触部８９に形成される隙間を空気が流通可能であれば、この隙間が塵埃のバイパス経路となってしまう。しかしながら、本実施形態では、通風抵抗が生じるように抵抗部３７が設けられていることで、仮に、ブラシ７２に塵埃が付着した状態で室内ファン１４によって空気流れが形成されたとしても、フィルタ８１とブラシ７２との接触部８９に形成される隙間が塵埃のバイパス経路となるおそれを低減することができる。
【００７５】
（３−６）
本実施形態では、抵抗部材３５の面３７ａは、フィルタ８１の幅方向に沿って配置されている。このため、フィルタ８１の幅方向の全域に渡って通風抵抗を生じさせることができる。これによって、ブラシ７２に付着した塵埃が室内熱交換器１３に向かって流れるおそれを低減することができている。
【００７６】
（４）変形例
（４−１）変形例Ａ
上記実施形態では、フィルタ８１が環形状に成形されている。このため、吸込口１９から吸い込まれた空気は、フィルタ８１の折返し部８１ａを挟んでフィルタ８１の空気流れ上流側に位置する前面側フィルタ部と、前面側フィルタ部よりも空気流れ下流側に位置する背面側フィルタ部８２とを介して室内熱交換器１３へと導かれることになる。
【００７７】
これに代えて、フィルタが環形状に成形されておらず、吸込口から吸い込まれた空気が１枚のフィルタを介して室内熱交換器へと導かれる構成であってもよい。また、このようなフィルタの例として、フィルタが支持枠に固定された構成のものが考えられる。そして、このようなフィルタであれば、フィルタ清掃運転時には、フィルタにブラシが接触した状態で、フィルタを支持枠ごと移動させることで、フィルタに付着した塵埃を除去するようなフィルタ清掃機構が考えられる。
【００７８】
以下に、フィルタ清掃運転時に、フィルタ１８１にブラシ７２が接触した状態でフィルタ１８１を支持枠１４１ごと移動させることで、フィルタ１８１に付着した塵埃を除去するフィルタ清掃機構１８０について説明する。
【００７９】
図１１は、運転停止時の空調室内機１１０の断面図である。図１２は、フィルタ清掃運転時にフィルタ１８１が移動した状態の空調室内機１１０の断面図である。図１３は、ブラシ７２とフィルタ１８１との接触部１８９の部分拡大図である。図１４は、メインフレーム１３０の正面図である。なお、図１１、図１２及び図１３では、上記実施形態と同様の構成の部品については、上記実施形態と同様の符号を付している。また、以下の説明においても、上記実施形態と同様の構成の部品については、上記実施形態と同様の符号を用いている。
【００８０】
フィルタ清掃機構１８０は、メインフレーム１３０と、フィルタ移動機構１４０と、ブラシ７２と、圧縮ローラ７３と、ダストボックス１７０と、を備えている。なお、フィルタ清掃機構１８０において、ブラシ７２及び圧縮ローラ７３の構成は、上記実施形態と同様の構成であるため、これらの構成については説明を省略する。
【００８１】
メインフレーム１３０は、空調室内機１１０の長手方向に長い部材であって、本体ケーシングに固定されている（図１４参照）。また、メインフレーム１３０は、左保持部１３１、中央保持部１３３、右保持部１３２、補強枠１３４、及び、カバー部１５１、及び、抵抗部材１３５を有している。
【００８２】
左保持部１３１、中央保持部１３３及び右保持部１３２は、それぞれ、平行に等間隔に並んでいる。また、左保持部１３１の中央保持部１３３と対向する側の面には、後述する支持枠１４１を保持する左案内溝１３１ａが設けられている。また、右保持部１３２の中央保持部１３３と対向する側の面には、支持枠１４１を保持する右案内溝１３２ａが設けられている。さらに、中央保持部１３３には、左保持部１３１に設けられた左案内溝１３１ａ、及び、右保持部１３２に設けられた右案内溝１３２ａと対峙する位置に、支持枠１４１を保持する中央案内溝１３３ａ，１３３ｂが設けられている。そして、これら案内溝１３１ａ，１３２ａ，１３３ａ，１３３ｂは、いずれも、上側案内溝１３９ａと下側案内溝１３９ｂとを含む（図１１参照）。上側案内溝１３９ａは、前面パネル１１ｂの上部近傍から天面部１１ａ近傍に沿ってなだらかに湾曲するように形成されている（図１１参照）。下側案内溝１３９ｂは、上側案内溝１３９ａの下側に配置されており、上側案内溝１３９ａまで延びている（図１１参照）。また、上側案内溝１３９ａと下側案内溝１３９ｂとの間隔は、最も広いところで、ローラ１４２の有するピニオンギア１４２ａの歯先円の外形より少し広くなっている。
【００８３】
補強枠１３４は、左保持部１３１、中央保持部１３３及び右保持部１３２の延びる方向に沿って延びる複数の補強棒１３４ａと、補強棒１３４ａに直交する方向に延びる複数の補強棒１３４ｂとによって格子状に形成されており、一定の強度が確保されている。補強枠１３４は、支持枠１４１が下側案内溝１３９ｂに案内された際に、フィルタ１８１が移動経路から外れないように、フィルタ１８１を室内熱交換器１３側から支える。
【００８４】
カバー部１５１は、フィルタ１８１を挟んでローラ1４２と対向するように配置される。また、カバー部１５１には、フィルタ１８１と、ブラシ７２とを接触させるための左右方向（長手方向）に長い開口１５１ａが形成されている。なお、本変形例では、カバー部１５１と抵抗部材１３５とは一体に成形されているものとする。
【００８５】
抵抗部材１３５は、フィルタ１８１と同様に空調室内機１１０の長手方向に長い部材であって、メインフレーム１３０の下端部の一部を構成している。さらに、抵抗部材１３５は、図１３に示すように、フィルタ１８１とブラシ７２との接触部１８９のうち室内熱交換器１３側の近傍から上方に延びている。より詳しくは、抵抗部材１３５は、カバー部１５１の開口１５１ａの周縁部のうち後側の縁部から斜め上方に延びている。
【００８６】
また、抵抗部材１３５は、フィルタ１８１の移動経路に概ね沿って延びる抵抗部１３７を有する。より詳しくは、抵抗部１３７は、支持枠１４１が下側案内溝１３９ｂに保持されている状態で、フィルタ１８１を挟んで、ローラ１４２の後側（背面側）に配置されている（図１２参照）。
【００８７】
さらに、抵抗部１３７は、フィルタ１８１において空気流れ下流側に位置する面と対向するように配置される面１３７ａを有している。なお、本実施形態では、抵抗部１３７の面１３７ａは、支持枠１４１が下側案内溝１３９ｂに保持されている状態のフィルタ１８１の空気流れ下流側の面と重なるように配置される。また、支持枠１４１が下側案内溝１３９ｂに保持されている状態のフィルタ１８１の空気流れ下流側の面と、抵抗部１３７の面１３７ａと、の間の寸法は、２ｍｍ以下になるように設計されている。さらに、抵抗部材１３５は、空調室内機１１０の長手方向、すなわち、フィルタ１８１の幅方向に長い部材であるため、面１３７ａは、フィルタ１８１の幅方向に沿って配置されているといえる。
【００８８】
さらに、抵抗部１３７は、図１３に示すように、ローラ１４２の上端と略同じ高さまで延びている。したがって、面１３７ａは、ローラ１４２の回転中心よりも高い位置まで延びているといえる。ここで、抵抗部１３７はフィルタ１８１と室内熱交換器１３との間に配置されているため、抵抗部１３７の高さ寸法が大きすぎると、フィルタ１８１を介して室内熱交換器１３へと向かう空気の流れを阻害して、前側熱交換部１３ｃの下部の熱交換効率を著しく低下させてしまう。そこで、抵抗部１３７の高さ寸法は、少なくともローラ１４２の回転中心よりも高い位置であって、前側熱交換部１３ｃの下部の熱交換効率に影響を及ぼさない高さの範囲内で設定されていればよい。
【００８９】
なお、本変形例では、抵抗部材１３５が、メインフレーム１３０の一部を構成する部材であって、カバー部１５１と一体に設けられているが、ブラシ７２とフィルタ１８１との接触部１８９のうち室内熱交換器１３側の近傍からフィルタ１８１の移動経路に概ね沿って延びる面を有しており、室内ファン１４によって空気流れが形成された際にブラシ７２とフィルタ１８１との接触部１８９に生じる隙間を空気が流れにくくなるように通風抵抗を生じさせることができれば、単体であってもよく、メインフレーム１３０以外の部材（例えば、ダストボックス１７０等）と一体に設けられていてもよい。
【００９０】
ダストボックス１７０は、ブラシ７２から除去された塵埃を溜めるための部材であって、上部が開口した略直方体形状の箱状の部材である。また、ダストボックス１７０は、図１３に示すように、前部１７５と後部１７６とから構成されている。そして、後部１７６は、ブラシ７２の周面に沿って湾曲した形状を呈しており、ブラシ７２の後側（背面側）を覆うカバー部１５２を有している。
【００９１】
フィルタ移動機構１４０は、フィルタ１８１を往復移動させる機構であって、支持枠１４１と、支持枠１４１を左案内溝１３１ａ、中央案内溝１３３ａ，１３３ｂ及び右案内溝１３２ａに沿って移動させるためのローラ１４２と、ローラ１４２を回転させるためのローラ駆動モータ（図示せず）と、を有している。
【００９２】
ローラ１４２は、空調室内機１１０の長手方向に長い部材であって、フィルタ１８１を挟んでブラシ７２に対向する位置に配置されている。また、ローラ１４２の両端部には、ピニオンギア１４２ａが配置されている。一方で、支持枠１４１の両端部には、ローラ１４２の有するピニオンギア１４２ａと噛み合うラックギア１４１ａが設けられている。これにより、ローラ１４２のピニオンギア１４２ａが支持枠１４１の両端部に設けられているラックギア１４１ａに噛み合うことで、案内溝１３１ａ，１３２ａ，１３３ａ，１３３ｂに沿って、支持枠１４１とともにフィルタ１８１を移動させることができる。
【００９３】
なお、フィルタ清掃運転以外の運転時、すなわち、通常運転が行われている場合や運転停止時には、支持枠１４１は、左保持部１３１、中央保持部１３３及び右保持部１３２によって上側案内溝１３９ａに位置するように保持されている。このため、フィルタ１８１は、図１１に示す非清掃位置に配置されることになる。フィルタ１８１が非清掃位置に配置される場合には、フィルタ１８１の第１端部１８１ｃが上側案内溝１３９ａの上端部に位置しており、フィルタ１８１の第２端部１８１ｄが上側案内溝１３９ａの下端部に位置する。
【００９４】
一方で、フィルタ清掃運転時には、支持枠１４１が、ローラ１４２の外周に巻き込まれるようにＵターンして移動方向が下向きから上向きに代えられ、下側案内溝１３９ｂに導かれる。これにより、非清掃位置にあったフィルタ１８１が、図１２に示す清掃位置に移動される。フィルタ１８１が清掃位置に配置される場合には、フィルタ１８１の第１端部１８１ｃが下側案内溝１３９ｂの下端部に位置しており、フィルタ１８１の第２端部１８１ｄが上側案内溝１３９ａに位置する。
【００９５】
そして、フィルタ清掃運転時には、ブラシ７２の毛とフィルタ１８１とが接触している状態で、フィルタ移動機構１４０によってフィルタ１８１が非清掃位置から清掃位置に移動される。このとき、フィルタ１８１に付着した塵埃が、接触するブラシ７２の毛に掻き取られることで除去される。また、ブラシ７２が回転し、櫛部１７４の歯１７４ａがブラシ７２の毛を梳くことで、ブラシ７２の毛に付着した塵埃がブラシ７２から取り除かれる。そして、ブラシ７２から取り除かれた塵埃は、圧縮ローラ７３によって圧縮されながら、ダストボックス１７０内へと搬送され、ダストボックス１７０内に溜められる。その後、フィルタ移動機構１４０が、ローラ１４２を逆回転させて、清掃位置まで移動されたフィルタ１８１を非清掃位置まで移動させることで、フィルタ清掃運転が終了する。
【００９６】
フィルタ清掃機構１８０がこのような構成であっても、フィルタ１８１とブラシ７２との接触部１８９のうち室内熱交換器１３側の近傍からフィルタ１８１の移動経路に概ね沿って延びる面１３７ａを有する抵抗部１３７が設けられていることで、フィルタ１８１とブラシ７２との接触部１８９に形成される隙間を空気が流れる際の抵抗を大きくすることができる。この結果、仮に、ブラシ７２に塵埃が付着した状態で室内ファン１４によって空気流れが形成されたとしても、フィルタ１８１とブラシ７２との接触部１８９に形成される隙間が、ブラシ７２に付着した塵埃を室内熱交換器１３に向かって流す塵埃のバイパス経路となるおそれを低減することができる。
【００９７】
これによって、室内熱交換器１３に塵埃が付着するおそれを低減することができるため、室内熱交換器１３が汚れるおそれを防止することができる。
【産業上の利用可能性】
【００９８】
本発明は、熱交換器に塵埃が付着するおそれを低減することで熱交換器が汚れるおそれを防止することができるものであり、フィルタ清掃機構を備える空調室内機への適用が有効である。
【符号の説明】
【００９９】
１１      本体ケーシング（ケーシング）
１３      室内熱交換器（熱交換器）
１４      室内ファン（ファン）
１９      吸込口
７２      ブラシ
１０，１１０      空調室内機
３５，１３５      抵抗部材
３７ａ，１３７ａ  面
４２，１４２      ローラ
８０，１８０      フィルタ清掃機構
８１，１８１      フィルタ
【先行技術文献】
【特許文献】
【０１００】
【特許文献１】特開平６−１１４２２４号公報
【図１】
0005982981.tif 000002
【図２】
0005982981.tif 000003
【図３】
0005982981.tif 000004
【図４】
0005982981.tif 000005
【図５】
0005982981.tif 000006
【図６】
0005982981.tif 000007
【図７】
0005982981.tif 000008
【図８】
0005982981.tif 000009
【図９】
0005982981.tif 000010
【図１０】
0005982981.tif 000011
【図１１】
0005982981.tif 000012
【図１２】
0005982981.tif 000013
【図１３】
0005982981.tif 000014
【図１４】
0005982981.tif 000015